(57)【要約】【課題】  本発明は、抽選クジを簡単に開けることができ、取り扱いが容易で、かつ簡単に製造することができる抽選クジシート及び抽選クジシートの製造方法を提供する。【解決手段】  抽選クジシート１０は、第１用紙１１に第１積層シート１２を圧着してベースシート１３とし、ベースシート１３に指を差し込み可能な差込開口部１４が形成され、第２用紙１５に第２積層シート１６を圧着してカバーシート１７とし、第２積層シート１６がベースシート１３の第１積層シート１２に剥離可能に加熱圧着され、カバーシート１７にマイクロミシン目１８を入れることで、カバーシート１７から切り離し可能なクジ片２０が形成されるとともに、各々のクジ片２０の一部２０ａが臨む開口部２１が形成され、開口部２１と差込開口部１４とを重ね合わせて、各々のクジ片２０の一部２０ａを差込開口部１４内に突出させたものである。【選択図】      図１
2006007463.tif 000002
【特許請求の範囲】
【請求項１】
第１用紙に第１積層シートを圧着してベースシートとし、このベースシートに指を差し込み可能な差込開口部が形成され、
第２用紙に第２積層シートを圧着してカバーシートとし、この第２積層シートがベースシートの第１積層シートに剥離可能に加熱圧着され、
カバーシートに、このカバーシートから切り離し可能な複数枚のクジ片が形成されるとともに、各々のクジ片の一部が臨む開口部が形成され、
この開口部と前記差込開口部とを重ね合わせることにより、前記各々のクジ片の一部を差込開口部内に突出させたことを特徴とする抽選クジシート。
【請求項２】
第１用紙に第１積層シートを圧着してベースシートとする工程と、
このベースシートに指を差し込み可能な差込開口部を形成する工程と、
第２用紙に第２積層シートを圧着してカバーシートとする工程と、
カバーシートに、このカバーシートから切り離し可能な複数枚のクジ片を形成するとともに、各々のクジ片の一部が臨む開口部を形成する工程と、
カバーシートの第２積層シートをベースシートの第１積層シートに剥離可能に加熱圧着するとともに、開口部と差込開口部とを重ね合わせることにより、各々のクジ片の一部を差込開口部内に突出させる工程とからなることを特徴とする抽選クジシートの製造方法。
【発明の詳細な説明】
【技術分野】
【０００１】
本発明は、抽選クジシート及び抽選クジシートの製造方法に係り、さらに詳しくは、中を開くと当たり外れが分かる抽選クジシート及び抽選クジシートの製造方法に関する。
【背景技術】
【０００２】
例えば、抽選クジのなかには、２枚の矩形状紙の両側部を、それぞれ糊付けにすることで貼り合わせ、この糊付けした両側部の一方にミシン目を入れたものがある。
この抽選クジシートを開くときには、ミシン目に沿って一方の側部（すなわち、糊付けした部位）を切り取り、２枚の矩形状の紙を開くことにより、２枚の矩形状紙の一方に表示されている情報（例えば「当たりマーク」の表示）を見ることができる。
【０００３】
この抽選クジを製造する際には、多数枚の抽選クジを連続させて並べた帯状シートを製造し、この帯状シートを裁断して１枚１枚の抽選クジを得る（例えば、特許文献１参照。）。
【特許文献１】実開平６−２１９６７号公報
【０００４】
この抽選クジによれば、多数枚の抽選クジを連続させて並べた帯状シートを製造し、この帯状シートを１枚１枚の抽選クジに裁断するので、多数枚の抽選クジを比較的簡単に製造することが可能である。
【発明の開示】
【発明が解決しようとする課題】
【０００５】
しかし、従来の抽選クジは、多数枚の抽選クジを個々にばらしているので、多数枚のクジ片の製造、搬送や、管理に手間がかかるという問題がある。
このため、多数枚の抽選クジを、より一層簡単に製造することができる製造方法の実現化が望まれていた。
【０００６】
本発明は、抽選クジを簡単に開けることができ、取り扱いが容易で、かつ簡単に製造することができる抽選クジシート及び抽選クジシートの製造方法を提供することを課題とする。
【課題を解決するための手段】
【０００７】
請求項１に係る発明は、第１用紙に第１積層シートを圧着してベースシートとし、このベースシートに指を差し込み可能な差込開口部が形成され、第２用紙に第２積層シートを圧着してカバーシートとし、この第２積層シートがベースシートの第１積層シートに剥離可能に加熱圧着され、カバーシートに、このカバーシートから切り離し可能な複数枚のクジ片が形成されるとともに、各々のクジ片の一部が臨む開口部が形成され、この開口部と前記差込開口部とを重ね合わせることにより、前記各々のクジ片の一部を差込開口部内に突出させたことを特徴とする抽選クジシートである。
【０００８】
クジ片の一部を差込開口部内に突出させることで、差込開口部に人差し指を差し込み、差し込んだ人差し指と親指とでクジ片の一部を摘み、摘んだクジ片の一部を引き剥がすことにより、ミシン目に沿ってカバーシートからクジ片を切り取るとともに、ベースシートから引き離して、クジ片を簡単に開くことができる。
このように、クジ片を開くことで、クジ片の裏面、あるいはベースシートのうち、クジ片に相当する部位に表示されている情報（例えば「当たりマーク」の表示）を簡単に見ることができる。
【０００９】
また、多数枚のクジ片を一枚の抽選クジシート上面にまとめておくことができるので、多数枚のクジ片の搬送や、管理が容易になり、利便性を高めることが可能になった。
【００１０】
請求項２は、第１用紙に第１積層シートを圧着してベースシートとする工程と、  このベースシートに指を差し込み可能な差込開口部を形成する工程と、第２用紙に第２積層シートを圧着してカバーシートとする工程と、カバーシートに、このカバーシートから切り離し可能な複数枚のクジ片を形成するとともに、各々のクジ片の一部が臨む開口部を形成する工程と、カバーシートの第２積層シートをベースシートの第１積層シートに剥離可能に加熱圧着するとともに、開口部と差込開口部とを重ね合わせることにより、各々のクジ片の一部を差込開口部内に突出させる工程とからなることを特徴とする抽選クジシートの製造方法である。
【００１１】
多数枚のクジ片を一枚の抽選クジシートにまとめて製造することができるので、多数枚のクジ片を、手間をかけないで容易に製造することが可能となる。
【発明の効果】
【００１２】
請求項１に係る発明では、差込開口部に人差し指を差し込んで、クジ片の一部を摘むことでクジ片を簡単に開くことができるという利点がある。
また、請求項２に係る発明では、多数枚のクジ片を一枚の抽選クジシートにまとめて製造することで、生産性を高めることができるという利点がある。
【発明を実施するための最良の形態】
【００１３】
以下、本発明に係る最良の形態を図面に基づいて詳細に説明する。図１は本発明に係る抽選クジシートを示す斜視図、図２は図１のＡ−Ａ線断面図、図３は本発明に係る抽選クジシートを示す平面図、図４は本発明に係る抽選クジシートを示す底面図、図５は本発明に係る抽選クジシートを構成するベースシート及びカバーシートを加熱圧着する前の状態を示す斜視図である。
【００１４】
図１〜図４に示す抽選クジシート１０は、第１用紙１１の表面１１ａ及び裏面１１ｂに第１積層シート１２を圧着してベースシート１３とし、このベースシート１３に指を差し込み可能な差込開口部１４が形成され、第２用紙１５の裏面１５ａ及び表面１５ｂに第２積層シート１６を圧着してカバーシート１７とし、この第２積層シート１６がベースシート１３の第１積層シート１２に剥離可能に加熱圧着され、カバーシート１７にマイクロミシン目（ミシン目）１８及び切り線１９を入れることで、カバーシート１７から切り離し可能な複数枚のクジ片２０が形成されるとともに、各々のクジ片２０の一部２０ａが臨む開口部２１が形成され、この開口部２１と差込開口部１４とを重ね合わせることにより、各々のクジ片２０の一部２０ａを差込開口部１４内に突出させたものである。
【００１５】
なお、上記で説明した第１積層シート１２及び第２積層シート１６は、擬似接着又は糊等にて積層圧着できる素材であれば、ＰＰシートはもちろんのこと、その他どの様な素材であってもかまわない。
図４及び図５に示すベースシート１３は、表面１１ａ及び裏面１１ｂにそれぞれ第１積層シート１２（図２参照）が圧着され、一例として円形の差込開口部１４が形成された略矩形状のシートである（図４参照）。
【００１６】
図３及び図５に示すカバーシート１７は、第２用紙１５の表面１５ｂ及び裏面１５ａにそれぞれ第２積層シート１６（図２参照）が圧着された略矩形状のシートであり、複数枚のクジ片２０が一定間隔をおいて縦・横にそれぞれ多数枚形成され、複数枚のクジ片２０のうち、隣接する縦・横に各２枚づつ配置（すなわち、４枚配置）したクジ片２０の中央部位２２に開口部２１が形成された略矩形状のシートである。
【００１７】
図１に示すクジ片２０は、カバーシート１７にマイクロミシン目１８及び切り線１９を入れて略矩形状に形成されている。
このクジ片２０は、マイクロミシン目１８を切り取ることで、カバーシート１７から切り離すことができる。
【００１８】
カバーシート１７に形成した開口部２１には、前記４枚のクジ片２０の一部２０ａが内側に突出している。
この開口部２１と差込開口部１４とを重ね合わせた状態で、前記各々のクジ片２０の一部２０ａを差込開口部１４内に突出させる。
【００１９】
この抽選クジシート１０によれば、多数枚のクジ片２０を一枚の抽選クジシート１０にまとめておくことができるので、多数枚のクジ片２０の搬送や、管理が容易になり、利便性を高めることができる。
【００２０】
つぎに、抽選クジシート１０からクジ片２０を開く手順を説明する。
まず、差込開口部１４に、例えば人差し指を差し込む。つぎに、差し込んだ人差し指と親指とで、差込開口部１４内に突出させたクジ片２０の一部２０ａを摘み、摘んだクジ片２０の一部２０ａを引き剥がす（図１参照）。
【００２１】
これにより、図１に示すように、マイクロミシン目１８に沿ってカバーシート１７からクジ片２０を切り取るとともに、ベースシート１３から引き離して、クジ片２０を開く。
このように、クジ片２０を開くことで、クジ片２０の裏面２０ｂに表示されている情報（例えば「当たり」）を簡単に見ることができる。
【００２２】
つぎに、抽選クジシート１０の製造方法について説明する。
まず、図２に示すように、第１用紙１１の表面１１ａ及び裏面１１ｂに第１積層シート１２を圧着して、図５に示すベースシート１３を得る。
つぎに、図５に示すようにベースシート１３に指を差し込み可能な差込開口部１４を形成する。
【００２３】
一方、図２に示すように、第２用紙１５の裏面１５ａ及び表面１５ｂに第２積層シート１６を圧着して、図５に示すカバーシート１７を得る。
つぎに、図１に示すように、カバーシート１７にマイクロミシン目１８及び切り線１９を入れることで、カバーシート１７から切り離し可能な多数枚のクジ片２０を形成するとともに、各々のクジ片２０の一部２０ａが臨む開口部２１を形成する。
【００２４】
ついで、図５に示すように、カバーシート１７を矢印のようにベースシート１３に重ね合わせ、図２に示すように、カバーシート１７の第２積層シート１６をベースシート１３の第１積層シート１２に剥離可能に加熱圧着する。
このとき、開口部２１と差込開口部１４とが重ね合わされることにより、図１、図３及び図４に示すように、各々のクジ片２０の一部２０ａを差込開口部１４内に突出させる。
【００２５】
多数枚のクジ片２０を一枚の抽選クジシート１０にまとめて製造することができるので、多数枚のクジ片２０を、手間をかけないで容易に製造することができる。
【００２６】
なお、前記実施の形態では、ミシン目としてマイクロミシン目１８を例に説明したが、例えば通常のミシン目を採用することも可能である。
また、差込開口部１４を円形状に形成した例について説明したが、差込開口部１４の形状は任意に形成することができる。
【００２７】
さらに、クジ片２０を略矩形状に形成した例について説明したが、クジ片２０の形状は任意に形成することができる。
また、クジ片２０の裏面２０ｂに情報（例えば「当たりマーク」の表示）を表示した例について説明したが、ベースシート１３のうち、クジ片２０に相当する部位に、情報（例えば「当たりマーク」の表示）を表示することも可能である。
【図面の簡単な説明】
【００２８】
【図１】本発明に係る抽選クジシートを示す斜視図である。
【図２】図１のＡ−Ａ線断面図である。
【図３】本発明に係る抽選クジシートを示す平面図である。
【図４】本発明に係る抽選クジシートを示す底面図である。
【図５】本発明に係る抽選クジシートを構成するベースシート及びカバーシートを加熱圧着する前の状態を示す斜視図である。
【符号の説明】
【００２９】
１０…抽選クジシート
１１…第１用紙
１１ａ…第１用紙の表面
１２…第１積層シート
１３…ベースシート
１４…差込開口部
１５…第２用紙
１５ａ…第２用紙の裏面
１５ｂ…第２用紙の表面
１６…第２積層シート
１７…カバーシート
１８…マイクロミシン目
１９…切り線
２０…クジ片
２０ａ…クジ片の一部
２０ b…クジ片の裏面
２１…開口部
２２…クジ片の中央部位
【図１】
2006007463.tif 000003
【図２】
2006007463.tif 000004
【図３】
2006007463.tif 000005
【図４】
2006007463.tif 000006
【図５】
2006007463.tif 000007